(57)【特許請求の範囲】
【請求項１】
シート体が支持体に張設支持されてなるシート体支持構造であって、
前記シート体は矩形状の旗で、前記支持体は旗竿であり、
前記旗は、４隅を有する旗本体と、前記旗本体の４隅にそれぞれ設けられた４つの被係合部とを有し、
前記旗竿は、棒状の部材を主体とする旗竿本体と、前記旗竿本体に連結されると共に前記４つの被係合部それぞれに係合される４つのフック部材とを有し、
前記旗竿本体は、垂直方向に延びる縦杆と、前記縦杆から水平方向に延びる上横杆と、前記上横杆よりも下方の位置で前記縦杆から水平方向に延びる下横杆とを備えており、
前記４つのフック部材は、前記上横杆の両端部近傍及び前記下横杆の両端部近傍にそれぞれ設けられ、
前記旗本体は、前記上横杆に沿って延びる上辺と、前記下横杆に沿って延びる下辺と、前記上辺の両端部と前記下辺の両端部とをそれぞれ結んで垂直に延びる一対の縦辺と、前記旗本体の素材を前記旗本体の端部近傍で折り返して接合することにより形成された筒状部とを有しており、
前記筒状部の内側には、前記旗本体の全周に亘って線状の補強部材が配設され、
前記旗本体の、前記筒状部を形成する際に前記旗本体の素材が折り返された側の４隅には、それぞれ補強シートが貼り付けられていることを特徴とするシート体支持構造。
【請求項２】
前記フック部材は、鉤状のフック本体と、前記フック本体における解放した端部同士をつなぐように配されると共に、一端側を支点として前記フック本体における解放した前記端部の一方に回動可能に連結された封鎖部材とを有し、
前記フック部材は、前記封鎖部材の他端側が前記フック本体に当接又は近接した閉状態と、前記封鎖部材の他端側が前記フック本体から離間するように回動した開状態とを形成することを特徴とする請求項１記載のシート体支持構造。
【請求項３】
前記上横杆と前記上辺との間、前記下横杆と前記下辺との間、及び前記縦杆と前記縦辺との間には空隙部が形成されており、前記空隙部は実質的に遮蔽されていないこと特徴とする請求項１又は２に記載のシート体支持構造。
【発明の詳細な説明】
【技術分野】
【０００１】
本発明は、旗等のシート体が旗竿等の支持体に張設支持されてなるシート体支持構造に関する。
【背景技術】
【０００２】
旗は、一般に、旗竿に支持された状態で所定箇所に設置される。例えば、海上作業を行う場合には、その作業者は、監督官庁に「海上作業届」を提出し、警戒船を出して、作業現場周辺の安全確保を行う必要があり、その際には、警戒船の所定箇所に警戒旗を掲示する必要があるが、警戒旗は、旗竿に支持された状態で、警戒船の所定箇所に設置される。警戒旗の形式には統一したものがなく、旗の表示内容の見易さや旗の耐久性などを考慮して、その都度、旗を旗竿に組み立てて使用している。
【０００３】
図４は、矩形状の旗１０２が旗竿１０３に張設支持されてなる従来の旗支持構造１０１を示す図である。
【０００４】
図４に示すように、旗１０２の旗本体１０２ａにおける上辺１２１、下辺１２２及び一方の縦辺１２３ａには、それぞれ複数個の筒状部１２９が接合されて設けられている。旗本体１０２ａの各辺において、複数個の筒状部１２９の総長さは、当該筒状部１２９が設けられている辺の長さの半分以上に亘っている。筒状部１２９は、旗本体１０２ａの他方の縦辺１２３ｂには設けられていない。
【０００５】
旗竿１０３は、垂直方向に延びる縦杆１３３、縦杆１３３の上端近傍から水平方向に延びる上横杆１３１、及び上横杆１３１よりも下方の位置で縦杆１３３から水平方向に延びる下横杆１３２を備えている。
【０００６】
そして、旗竿１０３の上横杆１３１、下横杆１３２及び縦杆１３３を、それぞれ旗１０２の上辺１２１、下辺１２２及び一方の縦辺１２３ａにおける各筒状部１２９に挿通することで、旗１０２と旗竿１０３とを組み立てることができる。
【０００７】
旗１０２と旗竿１０３とを組み立てる場合には、例えば、まず、旗竿１０３の縦杆１３３を、旗１０２の一方の縦辺１２３ａにおける筒状部１２９に挿入する。次に、旗竿１０３の上横杆１３１及び下横杆１３２を、それぞれ旗１０２の上辺１２１及び下辺１２２における各筒状部１２９に挿入する。次いで、縦杆１３３と、上横杆１３１及び下横杆１３２とを、螺合などにより連結して組み立てる。このように旗１０２と旗竿１０３とを組み立て、旗１０２を旗竿１０３に張設支持している。
【０００８】
しかしながら、このような旗支持構造１０１では、風圧により生じた大きな張力が、旗１０２の本体１０２ａと筒状部１２９との接合部分に掛かり、当該接合部分が破損する場合が多く、旗１０２の長時間の使用は難しい。また、旗１０２と旗竿１０３との組み立てにも労力及び時間を要する。
【０００９】
また、旗１０２の使用時に旗１０２に風圧を受け、旗竿１０３の上横杆１３１、下横杆１３２及び縦杆１３３が湾曲したり、変形しやすく、その場合には、旗竿１０３を再使用するときに、旗１０２と旗竿１０３との組み立てができないこともある。
【００１０】
更に、旗は、旗竿に張設支持され、見栄えを良くした方が好ましいが、このように張設支持する場合には、旗に相当大きな張力が加わることになり、例え、旗が丈夫なテント地などから作成されている場合でも、旗が破損し、その再使用や長期使用に耐えられない場合が多い。
【００１１】
前述の技術とは別の技術として、旗の４隅と旗竿とを紐により連結して旗を旗竿に張設支持する構造も知られている（下記特許文献１参照）。
【特許文献１】実用新案登録第２６０１９７３号公報
【発明の開示】
【発明が解決しようとする課題】
【００１２】
しかし、特許文献１に記載された、紐により旗を旗竿に張設支持する構造においては、旗と旗竿とを脱着する度に紐を結んだり、ほどいたりする必要があり、旗と旗竿との脱着作業が繁雑で、脱着作業の労力及び時間を多く要する。
【００１３】
このような問題点は、旗以外のシート体（例えばテント地）を、旗竿以外の支持体（例えばテントの骨組み）に張設支持する場合にも同様に生じる。
【００１４】
従って、本発明の目的は、旗等のシート体が旗竿等の支持体に張設支持されてなるシート体支持構造において、風圧を受けた場合や見栄えを良くする場合にシート体に大きな張力が加わったとしても、シート体及び支持体が破損しにくいと共に、シート体と支持体との脱着作業が簡便で、脱着作業の労力及び時間を低減できるシート体支持構造を提供することにある。
【課題を解決するための手段】
【００１５】
（１）本発明のシート体支持構造は、シート体が支持体に張設支持されてなるシート体支持構造であって、前記シート体は、４隅を有するシート本体と、前記シート本体の４隅にそれぞれ設けられた４つの被係合部とを有し、前記支持体は、棒状の部材を主体とする支持体本体と、前記支持体本体に連結されると共に前記４つの被係合部それぞれに係合される４つのフック部材とを有することを特徴とするものである。
【００１６】
（１）に記載の発明によれば、支持体に設けられた４つのフック部材を、シート体の４隅に設けられた４つの被係合部にそれぞれ係合しているため、風圧を受けた場合や見栄えを良くする場合にシート体に大きな張力が加わったとしても、前述の筒状部を備えたシート体（旗）に比して、シート体の４隅及び支持体におけるフック部材近傍のみに張力が加わり、シート体及び支持体が破損しにくい。また、４つのフック部材を、対応する４つのシート体の被係合部にそれぞれ係合するだけで、シート体を支持体に張設支持することができるため、シート体と支持体との脱着作業が簡便で、脱着作業の労力及び時間を低減することができる。
【００１７】
（２）  （１）に記載の発明においては、前記フック部材は、鉤状のフック本体と、前記フック本体における解放した端部同士をつなぐように配されると共に、一端側を支点として前記フック本体における解放した前記端部の一方に回動可能に連結された封鎖部材とを有し、前記フック部材は、前記封鎖部材の他端側が前記フック本体に当接又は近接した閉状態と、前記封鎖部材の他端側が前記フック本体から離間するように回動した開状態とを形成することが好ましい。
【００１８】
（２）に記載の発明によれば、フック部材が容易に開状態を形成できるため、フック部材をシート体の被係合部に容易に係合することができる。一方、フック部材が閉状態を形成できるため、フック部材をシート体の被係合部に係合して、シート体を支持体に張設支持した状態において、フック部材がシート体の被係合部から外れにくい。
【００１９】
（３）  （１）又は（２）に記載の発明においては、前記シート体は矩形状の旗で、前記支持体は旗竿であり、前記旗竿は、垂直方向に延びる縦杆と、前記縦杆から水平方向に延びる上横杆と、前記上横杆よりも下方の位置で前記縦杆から水平方向に延びる下横杆とを備えており、前記旗は、前記上横杆に沿って延びる上辺と、前記下横杆に沿って延びる下辺と、前記上辺の両端部と前記下辺の両端部とをそれぞれ結んで垂直に延びる一対の縦辺とを有しており、前記４つのフック部材は、前記上横杆の両端部近傍及び前記下横杆の両端部近傍にそれぞれ設けられていることが好ましい。
【００２０】
（３）に記載の発明によれば、矩形状の旗が旗竿により容易に張設支持される。
【００２１】
（４）  （３）に記載の発明においては、前記旗は、前記旗の周縁部近傍に全周に亘って配設された線状の補強部材を備えていることが好ましい。
【００２２】
（４）に記載の発明によれば、旗の破損が一層防止され、延いては旗を支持する旗竿の破損も一層防止される。
【００２３】
（５）  （３）又は（４）に記載の発明においては、前記上横杆と前記上辺との間、前記下横杆と前記下辺との間、及び前記縦杆と前記縦辺との間には空隙部が形成されており、前記空隙部は実質的に遮蔽されていないことが好ましい。
【００２４】
（５）に記載の発明によれば、旗が受けた風を空隙部から容易に逃がすことができるため、旗における被係合部以外の部分には大きな張力が加わらず、旗及び旗竿が破損しにくい。
【発明の効果】
【００２５】
本発明によれば、旗等のシート体が旗竿等の支持体に張設支持されてなるシート体支持構造において、風圧を受けた場合や見栄えを良くする場合にシート体に大きな張力が加わったとしても、シート体及び支持体が破損しにくいと共に、シート体と支持体との脱着作業が簡便で、脱着作業の労力及び時間を低減することができる。
【発明を実施するための最良の形態】
【００２６】
以下、本発明のシート体支持構造の一例である第１実施形態について、図面を参照して説明する。本発明のシート体支持構造は、シート体が支持体に張設支持されてなるものであり、第１実施形態は、図１に示すように、シート体が矩形状の旗２から構成され、支持体が旗竿３から構成された旗支持構造１である。
【００２７】
まず旗２について説明する。旗２は、図１に示すように、４隅を有する旗本体２ａと、旗本体２ａの４隅にそれぞれ設けられた４つの被係合部２５とを有している。
【００２８】
旗本体２ａは、上辺２１、下辺２２及び一対の縦辺２３，２３を有する矩形状となっている。詳述すると、旗本体２ａは、後述するように、旗２が旗竿３に張設支持された状態において、旗竿３の上横杆３１に沿って延びる上辺２１、旗竿３の下横杆３２に沿って延びる下辺２２、及び上辺２１の両端部と下辺２２の両端部とをそれぞれ結んで垂直に延びる一対の縦辺２３，２３を有している。尚、旗竿３の縦杆３３に近接する縦辺２３を「縦辺２３ａ」ともいう。
【００２９】
旗本体２ａの素材は、特に制限されないが、例えばインクジェット用ターポリンが用いられる。
【００３０】
旗本体２ａの面積（外形面積）Ｓ２は、例えば２０００〜１５０００ｃｍ２であり、好ましくは５０００〜１００００ｃｍ２である。矩形状の旗本体２ａにおける上辺２１及び下辺２２の長さは、例えば２０〜２００ｃｍであり、好ましくは４０〜１００ｃｍである。矩形状の旗本体２ａにおける縦辺２３の長さは、例えば５０〜４００ｃｍであり、好ましくは１００〜２００ｃｍである。
【００３１】
図２（ａ）は、第１実施形態の旗支持構造１の部分拡大図であり、図２（ｂ）は、図２（ａ）に示すＢ−Ｂ線断面図である。
【００３２】
図２に示すように、旗本体２ａは、その周縁部近傍に全周に亘って配設された線状の補強部材２４ｂを備えている。これにより、旗本体２ａの４辺（上辺２１、下辺２２、縦辺２３，２３）近傍が補強されている。第１実施形態においては、旗本体２ａの素材を旗本体２ａの端部近傍で内側に折り返して接合することにより筒状部２４ａを形成し、筒状部２４ａの内側に線状の補強部材２４ｂを配設することによって、旗本体２ａの４辺近傍が補強されている。
【００３３】
線状の補強部材２４ｂの素材は、特に制限されないが、例えばクレモナロープが用いられる。円形断面を有する補強部材２４ｂの径は、例えば２〜２０ｍｍであり、好ましくは５〜１０ｍｍである。
【００３４】
旗本体２ａの４隅には、補強部材２４ｂに近接して、更に補強シート２４ｃが貼り付けられ、旗本体２ａの４隅が更に補強されている。
【００３５】
旗２は、旗本体２ａの４隅にそれぞれ被係合部２５を備えている。第１実施形態における被係合部２５は、環状の補強環（いわゆる「はとめ」）２５ａとＳ字状のＳ字金具（いわゆる「Ｓカン」）２５ｂとの組み合わせからなる。補強環２５ａは、旗本体２ａの４隅近傍に設けられた開口部に設けられ、例えばかしめにより締め付けられている。補強環２５ａは、旗本体２ａにおける強度の高い部分、具体的には、折り返された旗本体２ａの素材と補強シート２４ｃとが積層された部分に、補強環２５ａの一部が掛かるように設けられている。補強環２５ａは、補強部材２４ｂに近接して（例えば０〜１０ｍｍ程度離間して）設けられている。
【００３６】
Ｓ字金具２５ｂにおいては、その一方の解放部は、補強環２５ａに係合した後に、補強環２５ａを含む旗本体２ａが抜けない程度に封鎖されており、その他方の解放部は、後述するフック部材４が抜けない程度に封鎖されている。
【００３７】
次に旗竿３について説明する。旗竿３は、図１及び図２に示すように、棒状の部材を主体とする旗竿本体３ａと、旗竿本体３ａに連結された４つのフック部材４とを有している。４つのフック部材４は、旗２における４つの被係合部２５にそれぞれ係合される。
【００３８】
旗竿本体３ａは、上横杆３１、下横杆３２及び縦杆３３を主体として構成されている。各杆３１〜３３は、金属パイプ、金属棒などの棒状の部材からなる。棒状の部材の素材としては、防食性の面からステンレス鋼が好ましい。
【００３９】
縦杆３３は、垂直方向に延びる杆であり、上横杆３１は、縦杆３３から水平方向に延びる杆であり、下横杆３２は、上横杆３１よりも下方の位置で縦杆３３から水平方向に延びる杆である。上横杆３１の基端３１ａは、縦杆３３の上端近傍に位置しており、下横杆３２の基端３２ａは、縦杆３３の中央近傍に位置している。
【００４０】
また、旗２が旗竿３に張設支持された状態において、上横杆３１は、旗２の上辺２１に沿って配される杆であり、下横杆３２は、旗２の下辺２２に沿って配されるであり、縦杆３３は、旗２の一方の縦辺２３ａに沿って配される杆である。
【００４１】
第１実施形態においては、上横杆３１及び下横杆３２は、縦杆３３に溶接により固定されている。尚、上横杆３１及び下横杆３２は、縦杆３３の周方向に回転自在に縦杆３３に連結することもできる。
【００４２】
上横杆３１と下横杆３２との間隔（縦杆３３に沿う方向の間隔）は、旗２を張設支持するために、旗本体２ａの縦辺２３の長さよりも長い必要がある。旗２と旗竿３との組み立て作業の便宜を考慮すると、上横杆３１と下横杆３２との間隔は、旗本体２ａの縦辺２３の長さよりも２０ｃｍ以上長いことが好ましく、５〜１０ｃｍ長いことが更に好ましい。上横杆３１と上辺２１との間隔又は下横杆３２と下辺２２との間隔は、例えば０〜２０ｃｍであり、好ましくは１〜１０ｃｍである。
【００４３】
上横杆３１及び下横杆３２の長さは、特に制限されないが、例えば２０〜２２０ｃｍであり、好ましくは４５〜２１０ｃｍである。
【００４４】
円形断面を有する各杆３１〜３３の径は、特に制限されないが、例えば５〜５０ｍｍであり、好ましくは１０〜４０ｍｍである。
【００４５】
上横杆３１と上辺２１との間、下横杆３２と下辺２２との間、及び縦杆３３と一方の縦辺２３ａとの間には、それぞれ空隙部１１，１２，１３が形成されている。空隙部１１，１２，１３は、カタカナの「コ」の字を形成するように連続している。空隙部１１，１２，１３は実質的に遮蔽されていない。「実質的に遮蔽されていない」とは、空隙部１１，１２，１３に、後述するフック部材４以外の部材が存在していないため、空隙部１１，１２，１３がほとんど遮蔽されていないことを意味する。
【００４６】
旗竿３における上横杆３１と、縦杆３３と、下横杆３２と、上横杆３１の先端３１ｂと下横杆３２の先端３２ｂとを結ぶ仮想線とから形成される仮想矩形領域の面積Ｓ３は、例えば４００〜５００００ｃｍ２であり、好ましくは２０００〜４５０００ｃｍ２である。前記仮想矩形領域の面積Ｓ３に対する旗本体２ａの面積Ｓ２の比（Ｓ２／Ｓ３）は、例えば７０〜９５であり、好ましくは８０〜９０である。前記仮想矩形領域の面積Ｓ３と旗本体２ａの面積Ｓ２との差（Ｓ３−Ｓ２）は、例えば２０００〜３００００ｃｍ２であり、好ましくは３０００〜２００００ｃｍ２である。
【００４７】
上横杆３１の基端３１ａ及び先端３１ｂ並びに下横杆３２の基端３２ａ及び先端３２ｂには、それぞれ支持体側被係合部３４が設けられている。支持体側被係合部３４は、金属製の半環状の部材からなり、上横杆３１又は下横杆３２に溶接やリベットなどにより固定されている。
【００４８】
次にフック部材４について説明する。フック部材４は、図２（ａ）に示すように、旗２の被係合部２５と旗竿３の旗竿本体３ａ（上横杆３１、下横杆３２及び縦杆３３）とを係合する部材である。
【００４９】
第１実施形態におけるフック部材４は、通常においては環状となっているが、その一部が内側に向けて可動となっている、いわゆるスナップフック（スプリングフック）からなる。詳述すると、フック部材４は、図２（ａ）に示すように、鉤状のフック本体４１と封鎖部材４２とを有している。封鎖部材４２は、フック本体４１における解放した端部同士をつなぐように配されると共に、一端４２ａ側を支点としてフック本体４１における解放した端部の一方に回動可能に連結されている。
【００５０】
封鎖部材４２は、フック本体４１の内側に向けて押圧されると、封鎖部材４２の一端４２ａ側を支点として、フック本体４１の内側に向けて回動する。そのため、フック部材４における解放部４１ａを通じて、フック部材４の内側に被係合部２５のＳ字金具２５ｂを配置することができる。
【００５１】
一方、封鎖部材４２は、バネの復元力によって、封鎖部材４２の一端４２ａを支点として、フック本体４１の外側に向けて常時付勢されている。通常の状態においては、封鎖部材４２の他端４２ｂがフック本体４１の解放した端部の一方に引っ掛かり、環状が形成される。そのため、フック部材４の内側に配置された被係合部２５のＳ字金具２５ｂが、フック部材４における解放部４１ａから意図せず抜けることがない。
【００５２】
従って、フック部材４においては、封鎖部材４２は、解放部４１ａを解放して、フック部材４に旗２の被係合部２５のＳ字金具２５ｂを係合できると共に、解放部４１ａを封鎖して、フック部材４に被係合部２５のＳ字金具２５ｂを係合した状態を保持できるようになっている。
【００５３】
このように、フック部材４は、封鎖部材４２の他端４２ｂ側がフック本体４１に当接又は近接した閉状態（図２（ａ）に示す状態）と、封鎖部材４２の他端４２ｂ側がフック本体４１から離間するように回動した開状態（図示せず）とを形成する。
【００５４】
フック部材４は、旗竿３の上横杆３１の両端部近傍及び下横杆３２の両端部近傍に、それぞれ連結されている。詳述すると、４つのフック部材４は、それぞれ対応する４つの支持体側被係合部３４を介して連結されている。４つの支持体側被係合部３４は、それぞれ上横杆３１の基端３１ａ及び先端３１ｂ並びに下横杆３２の基端３２ａ及び先端３２ｂにそれぞれ設けられている。
【００５５】
このように、第１実施形態においては、旗竿３に設けられた４つのフック部材４を、旗２における４つの被係合部２５のＳ字金具２５ｂにそれぞれ係合することにより、旗２を旗竿３に張設支持している。
【００５６】
旗２を旗竿３に支持する手順に制限はない。例えば、フック部材４を先に旗竿３の支持体側被係合部３４に連結してから、フック部材４を旗２の被係合部２５に係合してもよく、あるいは、フック部材４を先に旗２の被係合部２５に係合してから、フック部材４を旗竿３の支持体側被係合部３４に連結してもよい。
【００５７】
上述のように構成された第１実施形態の旗支持構造１においては、旗竿３に設けられたフック部材４を、旗２の４隅に設けられた被係合部２５にそれぞれ係合することにより、旗２を旗竿３に張設支持している。そのため、風圧を受けた場合や見栄えを良くする場合に旗２に大きな張力が加わったとしても、旗２の４隅及び旗竿３におけるフック部材４近傍のみに張力が加わるため、旗２及び旗竿３が破損しにくい。また、４つのフック部材４を旗２における４つの被係合部２５にそれぞれ係合することで、旗２を旗竿３に張設支持することができるため、旗２と旗竿３との脱着作業が簡便で、脱着作業の労力及び時間を低減することができる。
【００５８】
また、第１実施形態の旗支持構造１においては、フック部材４は、フック本体４１及び封鎖部材４２からなり、閉状態及び開状態を形成することができる。そのため、開状態においてフック部材４を旗２の被係合部２５に容易に係合することができる。また、フック部材４を旗２の被係合部２５に係合して、旗２を旗竿３に張設支持した状態において、フック部材４が旗２の被係合部２５から外れにくい。
【００５９】
更に、第１実施形態の旗支持構造１においては、旗２は、その周縁部近傍に全周に亘って配設された線状の補強部材２４ｂを備えている。そのため、旗２の破損が一層防止され、延いては旗２を支持する旗竿３の破損も一層防止される。
【００６０】
また、上横杆３１と上辺２１との間、下横杆３２と下辺２２との間、及び縦杆３３と縦辺２３ａとの間には空隙部１１，１２，１３が形成されており、空隙部１１，１２，１３は実質的に遮蔽されていない。そのため、旗２が受けた風を空隙部１１，１２，１３から容易に逃がすことができる。従って、旗２における被係合部２５以外の部分には大きな張力が加わらず、旗２及び旗竿３が破損しにくい。特に、空隙部１１，１２，１３が「コ」の字を形成するように連続しているため、旗２が受けた風を逃がす効果に優れる。
【００６１】
次に、本発明のシート体支持構造の第２実施形態について説明する。第２実施形態については、主として、第１実施形態とは異なる点を説明する。第１実施形態と同様の構成について同じ符号を付し、説明を省略する。第２実施形態について特に説明しない点については、第１実施形態についての説明が適宜適用される。
【００６２】
第２実施形態は、図３に示すように、本発明のシート体支持構造を、テント地２’が骨組み３’に張設支持されてなるテント支持構造１’に適用したものである。
【００６３】
図３（ａ）に示すように、テント地２’は、上部テント地２６ａと下部テント地２６ｂとからなる。上部テント地２６ａは、横に延びる三角柱形状を有し、その下方は開口している。下部テント地２６ｂは、開口した上部テント地２６ａから下方に延びており、矩形環状を有している。
【００６４】
テント地２’の４隅（詳細には、下部テント地２６ｂの下端の４隅）には、第１実施形態における旗２と同様に、図３（ｂ）に示すように、補強環２５ａ及びＳ字金具２５ｂの組み合わせからなる被係合部２５が設けられている。
【００６５】
骨組み３’は、棒状の部材からなる上部骨組み３５ａ及び下部骨組み３５ｂを主体として構成されている。上部骨組み３５ａは、上部テント地２６ａの３角柱形状に対応した三角柱状に形成されている。下部骨組み３５ｂは、矩形環状の下部テント地２６ｂの４隅に沿って、下部テント地２６ｂの下端よりも下方に延びている。下部骨組み３５ｂには、第１実施形態における旗竿３と同様に、支持体側被係合部３４を介してフック部材４が設けられている。
【００６６】
第２実施形態のテント支持構造１’によれば、第１実施形態の旗支持構造１と同様に、テント地２’に大きな張力が加わったとしても、テント地２’の４隅及び骨組み３’におけるフック部材４近傍のみに張力が加わるため、テント地２’及び骨組み３’が破損しにくい。また、フック部材４をテント地２’の被係合部２５にそれぞれ係合することで、テント地２’を骨組み３’に張設支持することができるため、テント地２’と骨組み３’との脱着作業が簡便で、脱着作業の労力及び時間を低減することができる。
【００６７】
第２実施形態によれば、上述の効果以外にも、第１実施形態と同様の効果が奏される。
【００６８】
本発明は、前述した実施形態に制限されることなく、適宜変更が可能である。
【００６９】
例えば、シート体２の被係合部２５は、フック部材４を係合することができれば、その構成に制限はない。被係合部２５は、前述の実施形態においては、２個の部材（補強環２５ａ，Ｓ字金具２５ｂ）の組み合わせから構成されているが、これに制限されず、１個の部材から構成されるものでもよく、あるいは３個の以上の部材から構成されるものでもよい。
【００７０】
フック部材４は封鎖部材４２を備えていなくてもよい。
【００７１】
旗竿３においては、上横杆３１、一対の縦杆３３，３３及び下横杆３２から、旗本体２ａの４辺（上辺２１、一対の縦辺２３，２３及び下辺２２）を囲む矩形杆を備えていてもよい。この形態では、前記空隙部は、矩形枠状（カタカナの「ロ」字状）となる。
【００７２】
シート体は、第１実施形態における旗２のような平面状のシート体でもよく、第２実施形態におけるテント地２’のような立体的形状のシート体でもよく、従って、平面状であるか立体的形状であるかを問わず、４隅を有していると認められるものであればよい。
【００７３】
本発明は、第１実施形態のような旗及び旗竿からなる旗支持構造や、第２実施形態のようなテント地及び骨組みからなるテント支持構造に制限されない。例えば、懸垂幕の支持構造、横断幕の支持構造に適用することができる。
【図面の簡単な説明】
【００７４】
【図１】本発明の第１実施形態である旗支持構造を示す正面図である。
【図２】（ａ）は第１実施形態の旗支持構造の部分拡大図であり、（ｂ）は（ａ）に示すＢ−Ｂ線断面図である。
【図３】本発明の第２実施形態であるテント支持構造を示す斜視図である。
【図４】従来の旗支持構造を示す正面図である。
【符号の説明】
【００７５】
１  旗支持構造（シート体支持構造）
１’  テント支持構造（シート体支持構造）
２  旗（シート体）
２’  テント地（シート体）
２ａ  旗本体（シート本体）
２５  被係合部
３  旗竿（支持体）
３’  骨組み（支持体）
３ａ  旗竿本体（支持体本体）
４  フック部材
４１  フック本体
４２  封鎖部材
【図１】
0005041918.tif 000002
【図２】
0005041918.tif 000003
【図３】
0005041918.tif 000004
【図４】
0005041918.tif 000005